(57)【特許請求の範囲】
【請求項１】
内部には無線通信ユニットやメモリーユニット、直流電源ユニット等といった無線通信用の中枢機構部を内蔵し、それら対応する中枢機構部に電気的に接続させるようにして、ディスプレイやダイヤルボタンをはじめとした各種操作部と、受話口や送話口、アンテナ、入出力端子差込口等といった付随装置部とが所定箇所に露出状に配されてなる携帯可能な薄箱型サイズの本体ボディに対し、その内部空間適所であって、該本体ボディの内部適所に走査型ＣＣＤラインセンサーを、その読取ヘッド部を露出状とするよう配置すると共に、発光部側を該走査型ＣＣＤラインセンサーの読取原稿に向けて露出状とした一個または複数個の照明用発光ダイオードを配した上、該照明用発光ダイオードの入力端子と、直流電源ユニットとを点灯可能な状態に配線した配線回路の中途部に、該走査型ＣＣＤラインセンサーの起動に連動して、自動的に点灯操作する点灯用スイッチ回路部を設け、更に必要に応じて、該照明用発光ダイオードの入力端子と、直流電源ユニットとを点灯可能な状態に配線した配線回路の中途部に、前記照明用発光ダイオードの点灯、消灯操作用のスイッチ回路を組み込み、該スイッチ回路の開閉操作ボタンを、本体ボディの適所に露出状に配置してなるものとしたことを特徴とする携帯型電話機。
【請求項２】
照明用発光ダイオードの消費電力を２０ｍＡ・ｈ前後とし、その設置個数を二個または三個に制限した、請求項１記載の携帯型電話機。
【請求項３】
照明用発光ダイオードを、３．６Ｖ前後で発光可能な比較的高輝度の白色発光ダイオードとした、請求項１記載の携帯型電話機。
【請求項４】
照明用発光ダイオードの発光部外周に、同発光部よりも僅かに長い筒型の金属管もしくは合成樹脂管を装着した上、本体ボディ外壁面に全長を没する状態に埋設した、請求項１ないし３何れか記載の携帯型電話機。
【請求項５】
照明用発光ダイオードの発光部が、その根元に光軸の角度を所定範囲内で手動によって変更調節可能とする擂小木状の球面軸受け機構を組み込み、その機構の一部である角度調節用座金部を介して本体ボディに設けられてなるものとした、請求項１ないし４何れか記載の携帯型電話機。
【発明の詳細な説明】
【０００１】
【発明の目的】
この発明は、携帯電話や、自動車電話、ＰＨＳ（Ｐｅｒｓｏｎａｌ  Ｈａｎｄｙｐｈｏｎ  Ｓｙｓｔｅｍ）等に代表される携帯型の通信用端末機器に関するものであって、特に、通話機能に加えて日常携行できれば好都合な機能を付加して高い利便性を得ることができる新規な構造からなる携帯型電話機を提供しようとするものである。
【０００２】
【従来の技術】
我が国における携帯型電話機は、広範囲に基地局が設置され、通話エリアが拡大されるのに伴い、近年急速に普及し、街のあちらこちらで携帯型電話機を使う姿が多数見受けられるようになり、遠くの人と会話をするという基本的な使用の外に、小型軽量でありながら、ＩＣ技術の発達により、アドレス帳、スケジュール帳、ボイスメモ、電卓、時計等、可能な限りの機能が盛り込まれた機種も次々と開発され、更に、インターネットとの接続を可能とすることにより、ネット上の情報サイトへのアクセスや、モバイルバンキング、電子メールの送受信等、自由な高速モバイルデータ通信を可能とする多彩な機能が付加され、多様な利用者の要求に応えることができるものに発展している。
【０００３】
このように普及が著しい携帯型電話機は、自然災害、遭難、交通事故、急病等の緊急事態の発生に際し、特に野外において、家庭用の電話回線や公衆電話等の他の通信機器に比較して秀れた機動性を遺憾無く発揮することができるものであり、事件や事故、災害等の発生現場から直接、１１０番または１１９番通報可能な上、現状を目撃しながら詳細な内容を通報することができるという利点を有するものであり、こうした有効性に着目した各県警や消防本部により、携帯型電話機を使用した通報を可能とする、新たな緊急通信指令システムの構築が早急に進めている。また、電子メールを利用可能な携帯型電話機は、これまで家庭に備え付けられたファクシミリを使用するか、あるいは第三者に連絡を依頼するしかなかった、聴覚に障害をもつ人々の間で、簡便で有用なコミュニケーションツールとして急速に普及しており、このような人々にとっても、緊急時に電子メールを利用した通報が可能となる等、従前までであれば到底救うことができなかったであろうという人命を、迅速な通報によって救うことができたというような話題も数多く伝えられている。
【０００４】
このように、通話エリア内であれば、非常時にも有効に使うことができるという理由から購入を決める客層も多く、電話機事態の強度や防水性に配慮された機種を選択する利用者も増加しており、更に国内の利用に留まらず、国際的に移動しながら仕事を進める人々も増加していることから、海外でも同じ携帯型電話機をそのまま利用することができるようなサービスを希望する人々も増えており、土地勘のない異国でのテロリスト集団によって惹き起こされる事件や、大規模な自然災害等を危惧する人々も増加して、日常生活や緊急時に便利な機能を備えた携帯型電話機の開発が望まれるようになってきている。
【０００５】
この発明は、以上のように多種、多様なニーズに応え得る、多彩な機能を持った携帯型電話機が毎日のように開発され、市場に提供されているが、更に日常の利用や緊急事態が発生してしまった場合等に通信機器としての使用以外にも、新規且つ有効な利用を可能とする新たな機能を持たせた携帯型電話機を製造することはできないものかとの判断から、逸速くその開発、研究に着手し、長期に渡る試行錯誤と幾多の試作、実験とを繰り返してきた結果、今回、遂に新規な構造からなる携帯型電話機を実現化することに成功したものであり、以下では、図面に示すこの発明を代表する実施例と共に、その構成を詳述することとする。
【０００６】
【発明の構成】
図面に示すこの発明を代表する実施例からも明確に理解されるように、この発明に包含される携帯型電話機は、基本的に、次のような構成から成り立っている。
即ち、内部には無線通信ユニットやメモリーユニット、直流電源ユニット等といった無線通信用の中枢機構部を内蔵し、それら対応する中枢機構部に電気的に接続させるようにして、ディスプレイやダイヤルボタンをはじめとした各種操作部と、受話口や送話口、アンテナ、入出力端子差込口等といった付随装置部とが所定箇所に露出状に配されてなる携帯可能な薄箱型サイズの本体ボディに対し、その内部空間適所であって、該本体ボディの内部適所に走査型ＣＣＤラインセンサーを、その読取ヘッド部を露出状とするよう配置すると共に、発光部側を該走査型ＣＣＤラインセンサーの読取原稿に向けて露出状とした一個または複数個の照明用発光ダイオードを配した上、該照明用発光ダイオードの入力端子と、直流電源ユニットとを点灯可能な状態に配線した配線回路の中途部に、該走査型ＣＣＤラインセンサーの起動に連動して、自動的に点灯操作する点灯用スイッチ回路部を設け、更に必要に応じて、該照明用発光ダイオードの入力端子と、直流電源ユニットとを点灯可能な状態に配線した配線回路の中途部に、前記照明用発光ダイオードの点灯、消灯操作用のスイッチ回路を組み込み、該スイッチ回路の開閉操作ボタンを、本体ボディの適所に露出状に配置してなるものとした構成を要旨とする携帯型電話機である。
【０００７】
本体ボディは、携帯型電話機の本体を形成する機能を果たすものであって、携帯可能なサイズの薄箱型のものとしなければならず、内部には無線通信用の中枢機構部となる無線通信ユニットやメモリーユニット、直流電源ユニット等が内蔵され、外壁部の適所にはディスプレイやダイヤルボタンをはじめとする各種操作部、受話口、送話口、アンテナ、入出力端子差込口等、付随装置部が露出状に配されたものとすべきであって、携帯することや強度を考慮すれば合成樹脂成型品や軽金属成型品等の素材から形成するのが望ましく、耐衝撃構造や防水構造を有するものとすることが可能である。
【０００８】
直流電源ユニットは、照明用発光ダイオードに直流電流を供給する機能を果たすものであって、少なくとも携帯型電話機の通信機能や、それに関連する各種操作部等が正常作動できるよう、充分な電力を供給する機能を兼ね備えるものとしなければならず、照明用発光ダイオードに専用のものとして設けるのではなく、電話機能を作動させるための主電源を、少ない電力で発光する照明用発光ダイオードに用いるものとすべきであり、本体ボディに内蔵された充電式のもの、本体ボディから脱着することができる充電式のもの、あるいは本体ボディから離脱可能な使い捨て型のバッテリーを用いることができる。
【０００９】
照明用発光ダイオードは、携帯型電話機の本体ボディの適所から、照明光を発光する機能を果たすものであり、一個または複数個が本体ボディの内部空間適所に、発光部を外部に向けて露出状となるよう配したものとすべきであって、消費電力が２０ｍＡ・ｈ前後のものをニ個または三個に設定するのが望ましく、ＣＣＤカメラやスキャナ用の照明として使用する際に、３．６Ｖ前後で発光可能な比較的高輝度の白色発光ダイオードを使用することができる外、発光部外周に、該発光部よりも僅かに長い筒型の金属管もしくは合成樹脂管を緩衝用部品として装着し、本体ボディ外壁面に全長を没する状態に埋設したものとすることができる。また、発光部が、光軸の角度を所定範囲内で自在に調節可能とする擂小木状の球軸受け機構を有する角度調節用座金部を介して本体ボディに設けたものとすることができる。更にまた、発光部が、本体ボディ外壁面に全長を没する状態に埋設された上、該発光部外側の本体ボディ外壁部には、帯状であって該発光部を覆う面積毎に異なる複数の色に着色した、着色用透明板部を、各色毎に駒送りする如く、該発光部上をスライド移動可能に装着し、例えば赤色灯や黄色灯等、複数の色の光を発光できる構造とすることができる。
【００１０】
スイッチ回路は、直流電源ユニットと照明用発光ダイオードとを点灯、消灯操作自在な状態に電気的に接続する機能を果たすものであって、該直流電源ユニットのプラス・マイナス極と、照明用発光ダイオードの入力端子とを通電可能に接続すると共に、同回路中途部に、直流電源ユニットの電力を供給、停止操作可能な開閉操作機能を有するものとしなければならず、例えば該回路中途部に本体ボディの適所に露出状となる開閉操作ボタンを設けたものとしたり、ＣＣＤカメラを設けた電話機の場合には、光センサーを併設し、該光センサーが被写体側の照度を検知し、その値に基づいて必要なときに自動的に発光操作を行う自動開閉操作部を設けることが可能であり、また、スキャナ機能を有する電話機であれば、該スキャナー機能が動作する際に、自動的に発光操作を行う自動開閉操作部を設けたものとすることができる。
【００１１】
開閉操作ボタンは、照明用発光ダイオードへの電力の供給、および停止を直接操作する機能を果たすものであり、スイッチ回路に組み込まれたものであって、本体ボディの外側表面に露出したものとしなければならず、ボタンの押圧操作を繰り返すことでＯＮ・ＯＦＦ操作を繰り返すことができる構造、あるいは、スライド操作して点灯、消灯を操作可能なもの等、何れの構造を採用することも可能であり、隙間が少なく防塵や防水構造を備えたものとするのが望ましく、懐中電灯として利用しやすい本体ボディ側面に配置するのが最も望ましいが、ＣＣＤカメラやスキャナ用の照明として利用する場合等には、それら撮像や読み取り作業を容易にする位置に設けるのがよい。
以下では、図面に示すこの発明を代表する実施例と共に、その構造について詳述することとする。
【００１２】
【実施例１】
図１の携帯型電話機の斜視図、および図２の照明用発光ダイオードの回路図に示される事例は、発光ダイオードによる照明機能を有して、携帯型電話としての機能の外に、懐中電灯の機能を兼ね備えたものとした基本的構成からなるこの発明に包含される携帯型電話機における代表的な一実施例を示すものである。
【００１３】
当該携帯型電話機は、薄箱型の持ち運びに適する掌サイズに形成された合成樹脂製の本体ボディ１を有し、該本体ボディ１の内部に、図示しない無線通信ユニット、メモリーユニット、および直流電源ユニット２等の無線通信用の中枢機構部を内蔵し、表面側の上端側中央に受話口１１、同表面側の下端側中央に送話口１４、該受話口１１の下部にディスプレイ１２、該ディスプレイ１２の下側に複数のダイヤルボタン１３，１３，……等の各種操作部が夫々露出状に配列され、上端角部付近には、延伸自在なアンテナ１５が収容可能に設けられており、下端底面部には、入出力端子差込口１６が開口されたものとなっている。
【００１４】
該本体ボディ１下端底面部の入出力端子差込口１６の左右に隣接する部位の夫々には、左右一対の照明用発光ダイオード３，３が、その発光部３１，３１を露出状とするよう埋設され、本体ボディ１内部に位置する各入力端子は、前記直流電源ユニット２、および本体ボディ１上端面に突設された開閉操作ボタン４１を通るスイッチ回路４に接続され、発光可能な構造となっている。
また、図３の携帯型電話機の斜視図に示すように、照明用発光ダイオード３，３，３や開閉操作ボタン４１の配置を、懐中電灯として操作し易い位置に設定することが可能である。
【００１５】
【実施例２】
図４の携帯型電話機の斜視図に示される事例は、この発明の携帯型電話機に包含される他の実施例を示すものであり、ＣＣＤカメラを一体に設け、静止画や動画を撮影可能とする機能を有するよう構成されたものである。
当該携帯型電話機は、その本体ボディ１の前側面略中央にＣＣＤ（Ｃｈａｒｇｅ  Ｃｏｕｐｌｅｄ  Ｄｅｖｉｃｅ）カメラ５が、その撮像部を露出状とするよう設けられ、該ＣＣＤカメラ５左右側に隣接する位置には、夫々、電流が２０ｍＡ・ｈ前後、電圧が３．６Ｖ前後程度の消費電力に設定された、比較的高輝度の白色発光ダイオード３，３が設けられ、またディスプレイ１２の下側隅部には、図示しない光センサーが内蔵されており、該ＣＣＤカメラ５を起動すると、該光センサーが撮影の対象物側付近の照度を検知し、その値に基づいて白色発光ダイオード３，３による照明が必要か否かを判断し、必要な場合には、白色発光ダイオード３，３に直流電源ユニットから電流を自動的に供給するよう構成された図示しない点灯用スイッチ回路部が設けられている。
【００１６】
該白色発光ダイオード３，３の夫々は、図５の照明用発光ダイオードの取着構造の斜視図に示すように、円筒状に形成された装着用座金部８１内に、球形状であって、発光部３１が中心部を貫通する状態に固着された球形駒部８２を、擂小木状に揺動自在とする球軸受け機構を形成するよう装着してなる角度調節用座金部８を介し、本体ボディ１の所定箇所に埋設状に装着したものとすることができる。
【００１７】
【実施例３】
図６の携帯型電話機の斜視図に示される事例は、この発明の携帯型電話機に包含される、更に他の実施例を示すものであって、原稿を読み取りできるスキャナ機能を有する携帯型電話機である。
当該携帯型電話機は、本体ボディ１下端底面部の後側の所定左右幅に渡り、走査型ＣＣＤラインセンサー６が、その撮像面を露出状にして設けられ、該走査型ＣＣＤラインセンサー６の左右側には、本体ボディ１の前方もしくは後方に向けて転動する一対の駆動輪７，７を同軸状に配置し、更に本体ボディ１下端底面部の前側の左右に渡る走査型ＣＣＤラインセンサー６に近接する位置には、三個の白色発光ダイオード３，３，３が、その発光部を露出状とするように埋設されたものとなっており、前記走査型ＣＣＤラインセンサー６、白色発光ダイオード３，３，３、並びに駆動輪７，７の図示しない駆動用モーターの夫々には、本体ボディ１上端面に開閉操作ボタン４１を露出状とする図示しないスイッチ回路を介して、直流電源ユニットが接続されている。そして、該開閉操作ボタン４１を一度押すと、白色発光ダイオード３，３，３のみに直流電源ユニットからの電流が供給され、二度目の押圧操作で、走査型ＣＣＤラインセンサー６、白色発光ダイオード３，３，３、並びに駆動輪７，７の駆動用モーターの夫々が駆動するよう電流が供給され、三度目の押圧操作により、走査型ＣＣＤラインセンサー６、白色発光ダイオード３，３，３、並びに駆動輪７，７の駆動用モータへの電流の供給を停止するよう構成したものとなっている。
【００１８】
【作用】
以上のとおりの構成からなるこの発明の携帯型電話機は、携帯型電話機として通話、利用することができると共に、図１および図２に示したように、開閉操作ボタン４１を押圧操作すれば、本体ボディ１下端底面部に配された照明用発光ダイオード３，３が発光し、懐中電灯としての利用が可能となる上、暗所で入出力端子差込口１６に、図示しない入出力用の端子を差し込もうとする際にも、開閉操作ボタン４１を操作し、照明用発光ダイオード３，３を発光させれば、入出力端子差込口１６付近を照明するものとなる。また、図３の携帯型電話機のように、本体ボディ１の上端面に複数の照明用発光ダイオード３，３，３を配列させ、同本体ボディ１の側壁面に開閉操作ボタン４１を配した構造とすれば、一般的な懐中電灯と同様の操作性で点灯、消灯の操作を行うことが可能となる。
【００１９】
図４中に示したＣＣＤカメラ５を有する携帯型電話機は、ＣＣＤカメラ５を撮影操作すると、ディスプレイ１２の下側隅部に設けられた図示しない光センサーが、被写体近傍の照度を検知し、ＣＣＤカメラ５の良好な撮影には、照明が必要と判断される検出値が得られた場合に、ＣＣＤカメラ５の左右側近傍に配置された、白色発光ダイオード３，３に電力を供給し、照明光を被写体に向けて自動的に照射することとなる。また、該光センサーの検知した照度が撮影に充分な値であれば、白色発光ダイオード３，３への電力の供給を行わず、消灯されたままの状態で、ＣＣＤカメラ５のみを起動し、撮影を行うこととなる。
【００２０】
また、白色発光ダイオード３，３が、図５に示すような角度調節用座金部８を介して本体ボディ１に装着されていれば、同本体ボディ１に一体的に固着された装着用座金部８１に対して、球形駒部８２を直接手動操作して角度調節することが可能であり、当該球形駒部８２の中心部を貫通するように設けられた白色発光ダイオード３発光部３１の、図中に一点鎖線で示す光軸を、矢印のように揺動状に操作し、自在に光の照射方向を調節することが可能となる。
【００２１】
図６に示される携帯型電話機は、開閉操作ボタン４１を一度押圧操作すると、白色用発光ダイオード３，３，３のみに電流が供給され、所定の輝度で発光し、懐中電灯として使用可能な状態となり、二度目の押圧操作で、白色用発光ダイオード３，３，３、走査型ＣＣＤラインセンサー６、および駆動輪７，７の駆動用モータの夫々に、直流電源ユニットからの電流が供給され、白色用発光ダイオード３，３，３が発光し、走査型ＣＣＤラインセンサー６が、読み取り動作を開始すると共に、駆動輪７，７が読み取り速度に同期する速度で回転駆動する。該走査型ＣＣＤラインセンサー６を目的の原稿上に配置し、本体ボディ１の自重を利用して駆動輪７，７を原稿面に当接させると、本体ボディ１諸共、読み取りに最適な速度で原稿上を自走しながら、読み取り動作を行うこととなる。読み取りを完了した後に、三度目の開閉操作ボタン４１操作を行えば、白色用発光ダイオード３，３，３、走査型ＣＣＤラインセンサー６、および駆動輪７，７の駆動用モータへの電流供給が停止される。
【００２２】
【効果】
以上のとおり、この発明の携帯型電話機によれば、携帯型の通信用端末機器として日常的に携行、使用することができ、自宅や外出先の暗所での作業や行動に際して、懐中電灯として利用することが可能であり、常に携帯しているので、咄嗟の事故や災害時にも素早く取り出して、使用することができるという特徴をもち、火災発生時に煙に巻かれてしまったような場合にも、腰を屈めて照明すれば、行く手の確認が可能となる上、多数の人々が非難しようとしているならば、誘導灯としても利用可能である等、多様な利用を可能とすることができるものであり、その光源として照明用発光ダイオードを用いたことにより、懐中電灯として充分な明るさを確保し、消費電力を通信機能を損ねない程度に低く押さえることができるという秀でた効果を発揮するものである。
【００２３】
特に、実施例に説明した図１および図２の携帯型電話機は、上記した特徴に加え、本体ボディ１の入出力端子差込口１６付近に照明用発光ダイオード３，３を配置したことにより、暗所でのディスク、ＩＣカードまたは各種通信用アダプター等の差し込みを簡単、確実に行うことができ、また、図３の携帯型電話機のように、照明用発光ダイオード３，３，３や開閉操作ボタン４１を懐中電灯に準じた配置、および操作構造とすることによって簡単、且つ確実に操作することができると共に、誤操作を解消することができる。
【００２４】
図４に示めした携帯型電話機は、ＣＣＤカメラ５の被写体を照明可能な位置に、白色発光ダイオード３，３を設けたことにより、太陽光と略同色の光を被写体に照射し、照度を好適に調節し良好な撮影が可能となり、通常ＣＣＤカメラ５側に不可欠な、明暗や色調の調節を行うフィルターや画像処理機能を不要とし、製造コストを削減することができる上、該白色発光ダイオード３一個当たりの消費電力を３．６Ｖ前後、２０ｍＡ・ｈ前後に設定することにより、一般的な携帯型電話機の直流電源ユニットに使用されている３．６Ｖ、５００ｍＡ・ｈ程度のリチウムイオン電池の電力を、特別な変圧回路を介在させずに、そのまま利用することができ、照明に必要な消費電力が少ないので、通信機能に支障を来すことがなく、照明機能のみを連続使用した場合であっても２５時間程度連続して点灯させることが可能である。更に、図５に示すような角度調節用座金部８を介して白色発光ダイオード３を取着した構造とすれば、照明の角度を好みや状況に応じて自由に変更することが可能となり、表情や表現の異なる撮影ができるという秀れた特徴が得られるものである。
【００２５】
更にまた、図６に示した携帯型電話機は、走査型ＣＣＤラインセンサー６からなるスキャナー機能を備え、その原稿読み取りの際の照明として、白色発光ダイオード３，３，３を利用する構造としたことにより、懐中電灯としての利用が可能である上に、携帯型のスキャナーを一体的に搭載したものとして、格段に利便性を高めて、付加価値の高い製品として市場に提供することができる。
【００２６】
叙述の如く、この発明の携帯型電話機は、その新規な構成によって所期の目的を遍く達成可能とするものであり、しかも既存の直流電源ユニットの電力をそのまま照明に用いる構造としたので、製造も容易で、照明専用のバッテリーを搭載する構造に比較して、遥かに経済的なものとすることができる上、工数と製造コストを低く抑え、比較的安価に提供することができるものであり、小型軽量と多機能の両立が求められる携帯型電話機メーカーや、これに関連する通信業界において高く評価され、広範に渡って利用、普及していくものになると予想される。
【図面の簡単な説明】
図面は、この発明の携帯型電話機の技術的思想を具現化した代表的な実施例を示すものである。
【図１】    携帯型電話機の外観構造を示す斜視図である。
【図２】    携帯型電話機の照明用の回路構造を示す回路図である。
【図３】    懐中電灯型の携帯型電話機を示す斜視図である。
【図４】    ＣＣＤカメラを一体に設けた携帯型電話機を示す斜視図である。
【図５】    角度調節可能な発光ダイオードの取着構造を示す斜視図である。
【図６】    スキャナを一体に設けた携帯型電話機を示す斜視図である。
【符号の説明】
１      本体ボディ
１１    同  受話口
１２    同  ディスプレイ
１３    同  ダイヤルボタン
１４    同  送話口
１５    同  アンテナ
１６    同  入出力端子差込口
２      直流電源ユニット
３      照明用発光ダイオード（白色発光ダイオード）
３１    同  発光部
４      スイッチ回路
４１    同  開閉操作ボタン
５      ＣＣＤカメラ
６      走査型ＣＣＤラインセンサー
７      駆動輪
８      角度調節用座金部
８１    同  装着用座金部
８２    同  球形駒部
【図１】
0003762853.tif 000002
【図２】
0003762853.tif 000003
【図３】
0003762853.tif 000004
【図４】
0003762853.tif 000005
【図５】
0003762853.tif 000006
【図６】
0003762853.tif 000007